(57)【要約】      （修正有）【課題】会社や学校、駅構内や娯楽施設など人の出入りが激しい場所でも長時間にわたって利用でき、それにより消毒液タンクや消毒液ボトルを頻繁に交換する煩わしさを解消すると共に、消毒液の落下を防止し、各種情報を表示できることに加え、施設等への入場に際して罹患の虞がある者を発見できるようにすることで、ウイルスの感染拡大をより強力に抑止できる消毒液スタンドを提供する。【解決手段】ペダル４を踏むことで中空スタンド２に内設された移動体３が下降し、それに伴って下降した押圧体５がノズル７を押圧するため、消毒液容器９から消毒液がポンプアップされノズル７から噴出される。また、検温器で測定した利用者の体温をモニターにデジタル表示し、施設等への入場の可否に関する情報等もデジタル表示される。【選択図】図１
0003232090.tif 000002
【実用新案登録請求の範囲】
【請求項１】
手を触れることなく消毒液を噴出することができる足踏み式の消毒液スタンドであり、
台座に立設される中空スタンドと、
該中空スタンドの内部に設けられた上下動可能な移動体、該移動体の下端で連結されるペダル、該移動体の上端で連結される押圧体、とから構成されるプッシュ機構と、
前記押圧体の下面と当接し得るよう、前記中空スタンドの正面に取り付けられた基台に固定されるノズル、該ノズルと一端が連結するホース、とから構成されるポンプ機構と、
前記中空スタンドの背面で消毒液容器を保持し得るよう、前記中空スタンドの背面に取り付けられた載置台と側部支持体、
とから成ることを特徴とする消毒液スタンド。
【請求項２】
前記載置台と前記側部支持体が前記中空スタンドの背面に高さを変えて取り付けられるよう、前記中空スタンドの背面には複数の取付部が設けられていることを特徴とする請求項１に記載の消毒液スタンド。
【請求項３】
前記基台にはトレイ保持体が取り付けられていることを特徴とする請求項１又は請求項２に記載の消毒液スタンド。
【請求項４】
前記中空スタンドの上部には看板台が取り付けられていることを特徴とする請求項１乃至請求項３に記載の消毒液スタンド。
【請求項５】
前記中空スタンドの上部には看板ベースが取り付けられており、該看板ベースには各種情報をデジタル表示するためのモニターと利用者の体温を測定する検温器が取り付けられており、前記モニターには利用者を検知するセンサーが取り付けられていることを特徴とする請求項１乃至請求項３に記載の消毒液スタンド。
【考案の詳細な説明】
【技術分野】
【０００１】
本考案は、その設置場所は問わないが、特に会社や学校又は娯楽施設など人の出入りが多い場所に設置することで高い効果を発揮することができる消毒液スタンドである。
【背景技術】
【０００２】
従来、手を消毒するためには、ノズルをプッシュすることで消毒液が噴出するポンプ式の消毒タンクや消毒ボトルが用いられてきた。しかしながら、消毒液を噴出する際に利用者が手動でノズルを押圧しなければならなかったため、衛生面で万全とは言えなかった。特に、２０２０年から世界中で始まったコロナウィルス（Ｃｏｖｉｄ−１９）の大流行では、最も効果的な予防措置がマスクの装着と共に手の消毒であると指摘されたため、手をノズルに接触させずに消毒液を噴出できる器具の利用が望まれることとなった。
【０００３】
斯かるところ、実用新案登録第３１８８０１４号の足踏み式消毒殺菌用の噴霧装置にみられるように、足でペダルを踏むことで、手を接触することなく消毒液を噴霧することができる装置が開発されているが、利用できる消毒液タンクや消毒液ボトルが小型のため、多くの人が利用する会社や学校、駅構内や娯楽施設などでは到底対応できないという問題があった。
【０００４】
また、コロナウイルス（Ｃｏｖｉｄ−１９）の世界的流行では、罹患者を発見するための措置として体温測定が行われるようになり、施設等への入場に際して入口で入場者の体温を測定することが当たり前のこととして実施されるようになったが、そのような機能を持った機器がないため、そのために多くの人員を配置しなければならないという問題があった。
【先行技術文献】
【特許文献】
【０００５】
【特許文献１】実用新案登録第３１８８０１４号公報
【考案の概要】
【考案が解決しようとする課題】
【０００６】
そこで、会社や学校、駅構内や娯楽施設など人の出入りが激しい場所でも長時間にわたって利用でき、それにより消毒液タンクや消毒液ボトルを頻繁に交換する煩わしさを解消すると共に、消毒液の落下を防止し、各種情報を表示できることに加え、施設等への入場に際して罹患の虞がある者を発見できるようにすることで、ウイルスの感染拡大をより強力に抑止できる消毒液スタンドの提供を目指して開発したのが本考案である。
【課題を解決するための手段】
【０００７】
本考案は、如上の課題を解決するため、手を触れることなく消毒液を噴出することができる足踏み式の消毒液スタンドであり、台座に立設される中空スタンドと、該中空スタンドの内部に設けられた上下動可能な移動体、該移動体の下端で連結されるペダル、該移動体の上端で連結される押圧体、とから構成されるプッシュ機構と、前記押圧体の下面と当接し得るよう、前記中空スタンドの正面に取り付けられた基台に固定されるノズル、該ノズルと一端が連結するホース、とから構成されるポンプ機構と、前記中空スタンドの背面で消毒液容器を保持し得るよう、前記中空スタンドの背面に取り付けられた載置台と側部支持体、とから成る消毒液スタンド（請求項１）を提案する。
【０００８】
本考案ではまた、前記載置台と前記側部支持体の高さを可変とするため、請求項１に記載の考案であって、前記載置台と前記側部支持体が前記中空スタンドの背面に高さを変えて取り付けられるよう、前記中空スタンドの背面には複数の取付部が設けられている消毒液スタンド（請求項２）も提案する。
【０００９】
本考案ではまた、利用時に消毒液の落下を防止するトレイを設置できるようにするため、請求項１又は請求項２に記載の考案であって、前記基台にはトレイ保持体が取り付けられている消毒液スタンド（請求項３）も提案する。
【００１０】
本考案では更に、消毒液スタンドの利用方法や広告などの各種情報を表示可能とするため、請求項１乃至請求項３に記載の考案であって、前記中空スタンドの上部には看板台が取り付けられている消毒液スタンド（請求項４）も提案する。
【００１１】
本考案では加えて、施設等への入場に際して利用者に各種情報を表示すると共に、利用者が施設等に入場可能かどうかをチェック可能とするため、請求項１乃至請求項３に記載の考案であって、前記中空スタンドの上部には看板ベースが取り付けられており、該看板ベースには各種情報をデジタル表示するためのモニターと利用者の体温を測定する検温器が取り付けられており、前記モニターには利用者を検知するセンサーが取り付けられている消毒液スタンド（請求項５）も提案する。
【考案の効果】
【００１２】
本考案に係る消毒液スタンドは、消毒液を噴出するためにノズルに触れる必要がないため衛生的であり、しかも大容量の消毒液容器を用いることができ、且つ、それを中空スタンドの背面に設けることができるため、多くの人が長時間にわたり利用できるほか、消毒液容器が足元を邪魔することもない。
【００１３】
また、本考案に係る消毒液スタンドは、載置台と側部支持体の中空スタンド背面への取付位置を高くすることができるため、消毒液容器を載せた載置台の下部に予備の消毒液容器を収納しておくことができる。
【００１４】
また、本考案に係る消毒液スタンドでは、トレイを支持するためのトレイ保持体を取り付け、その上にトレイを載置できるため、ノズルから噴出した消毒液の落下を防止することができる。
【００１５】
また、本考案に係る消毒液スタンドでは、看板台を取り付けることができるため、消毒液スタンドの利用方法をはじめ、これを設置した施設の広告など様々の情報を利用者に表示することができる。
【００１６】
更に、本考案に係る消毒液スタンドは、各種情報をデジタル表示できるモニターと、利用者の体温を測定する検温器を取り付けることができるため、消毒液による手の消毒・殺菌に加え、施設等に入場しようとする利用者の体温を測定し、測定結果その他の情報をモニター表示することで、ウイルスに罹患している疑いがある利用者の入場を制限し、それにより、ウイルスの感染拡大をより強力に抑止することができる。また、モニターに利用者を検知する赤外線等のセンサーが取り付けられており、適宜の角度で利用者の足元を照射して接近を検知するため、利用者でない通行人を検知することに拠るモニターと検温器の無用な起動を防止することができる。
【図面の簡単な説明】
【００１７】
【図１】本考案に係る消毒液スタンドの実施形態を示す図面である。
【図２】本考案における移動体とペダル及び押圧体の連結状態を示す抽出図面である。
【図３】本考案に係る消毒液スタンドに取り付けられる要素を示す前部斜視図である。
【図４】本考案に係る消毒液スタンドに取り付けられる要素を示す後部斜視図である。
【図５】本考案に係る消毒液スタンドの載置部と側部支持体を高い位置に取り付けた状態を示す斜視図である。
【図６】本考案に係る消毒液スタンドのトレイ保持体にトレイをセットした状態を示す斜視図である。
【図７】本考案に係る消毒液スタンドに看板台を取り付けた状態を示す斜視図である。
【図８】本考案における消毒液スタンドに取り付けられる要素を示す斜視図である。
【考案を実施するための最良の形態】
【００１８】
以下、本考案の望ましい実施形態を、図面に基づいて説明する。
【実施例１】
【００１９】
図１は本考案に係る消毒液スタンドの実施形態を示す図面であり、１は台座、２は中空スタンド、３は移動体、４はペダル。５は押圧体、６は基台、７はノズル、８はホース、９は消毒液容器、１０は載置台。１１は側部支持体である。図２は本考案における移動体３とペダル４及び押圧体５の連結状態を示す抽出図面、図３は本考案に係る消毒液スタンドに取り付けられる要素を示す前部斜視図、図４は本考案に係る消毒液スタンドに取り付けられる要素を示す後部斜視図であり、１２は取付部、１３はトレイ保持体、１８は看板台である。図５は本考案に係る消毒液スタンドの載置部と側部支持体を高い位置に取り付けた状態を示す斜視図であり、１６は予備の消毒液容器である。図６は本考案に係る消毒液スタンドのトレイ保持体にトレイをセットした状態を示す斜視図であり、１５はトレイである。図７は本考案に係る消毒液スタンドに看板台を取り付けた状態を示す斜視図である。図８は本考案における消毒液スタンドに取り付けられる要素を示す斜視図であり、１９はモニター、２０は検温器、２１は看板ベース、２２はセンサーである。
【００２０】
本考案に係る消毒液スタンドは、図１に示すとおり、中空スタンド２が台座１上に立設されており、その中空部には上下動が可能な移動体３が内設されている。移動体３の下端はペダル４と連結され、移動体３の上端は押圧体５と連結されることで、ペダル４を踏むことで移動体３の下降に伴って押圧体５も下降するようになっており、これらが本考案におけるプッシュ機構を構成する主たる要素である。移動体３とペダル４及び押圧体５の連結状態は、図２に記されるとおりである。
【００２１】
中空スタンド２の正面には基台６が取り付けられており、基台６には押圧体５の下面と当接し得る部位にノズル７が固定されており、ノズル７にはホース８の一端が連結されている。かくして、ペダル４を踏んで押圧体５が下降すると、その下面がノズル６を押圧することで、他端が消毒液容器９に挿入されているホース８を通じて消毒液がポンプアップされ、ノズル７の先端から噴出されるようになっており、これらが本考案におけるポンプ機構を構成する主たる要素である。なお、一端がノズル７に連結されたホース８は中空スタンド２に穿孔された孔１４を通じて消毒液容器９に挿入されることになる。
【００２２】
また、中空スタンド２の背面には消毒液容器９を保持するための載置台１０と側部支持体１１が取り付けられており、消毒液容器９は載置台１０の上に載置されるが、その際に落下しないよう側部支持体１１が消毒液容器の側面を支えるようになっている。なお、載置台１０と側部支持体１１を中空スタンド２に取り付けるための取付部１２は図３及び図４に記されるとおり、中空スタンド２の背面に設けられたネジ穴を予定しているが、掛止めなど公知の係止手段でも構わない。
【実施例２】
【００２３】
本考案に係る消毒液スタンドはまた、消毒液容器９の保持位置の高さを変えることが可能であり、そのため図４に示すとおり、中空スタンド２の背面には複数の取付部１２が穿孔されており、載置部１０と側部支持体１１の中空スタンド２への取付位置を上下方向に変えられるようになっている。なお、前記したと同様、載置部１０と側部支持体１１を中空スタンド２に取り付けるための取付部１２はネジ穴のほか、掛止めなど公知の係止手段でもよく、その場合の取付部１２はネジ穴に代えて複数の係止具が中空スタンド２の背面に設けられることになる。なお、載置台１０と側部支持体１１を中空スタンド２背面の高い位置に取り付けた場合は、図５に示すとおり、載置台１０に載置された利用中の消毒液容器９の下部に予備の消毒液容器１６を置いておけるため、利用中の消毒液容器９内部の消毒液がなくなった場合でも速やかに予備の消毒液容器１６の利用に切り替えることができる。
【実施例３】
【００２４】
本考案に係る消毒液スタンドはまた、トレイを支えるためのトレイ保持体１３を取付け可能であり、図３に示すとおり、中空スタンド２正面の基台６にトレイ保持具１３を取り付けられるようになっている。図面では基台６に穿孔されたネジ穴とトレイ保持体１３に穿孔されたネジ穴を挿通するネジによって係止するようになっているが、係止手段については格別これに限定されない。かくして、基台６に取り付けられたトレイ保持体１３は、図６に示すとおり、利用に際して消毒液が落下して床面を汚すことのないよう、上部にトレイ１５を載置した状態で利用に供されることになる。なお、図示したように、トレイ保持体１３にはトレイ１５が確実に取り付けられるよう、留め具１７を設けておくことが望ましい。
【実施例４】
【００２５】
本考案に係る消毒液スタンドはまた、各種情報を表示するための看板台１８を取り付けることが可能であり、図３及び図４に示すとおり、中空スタンド２の上部に看板台１８が取り付けられるようになっている。図面では中空スタンド２の背面上部に穿孔されたネジ穴と看板台１８に形成されたネジ溝を挿通するネジによって係止するようになっているが、係止方法についてはこれに限定しない。かくして、中空スタンド２に取り付けられた看板台１８は、図７に示すとおり、看板台１８に利用方法や消毒液スタンドを設置した施設の広告など各種情報を表示した状態で利用に供されることになる。
【実施例５】
【００２６】
本考案に係る消毒液スタンドは更に、各種情報をデジタル表示するモニター１９と利用者の体温を測定する検温器２０を取り付けることが可能であり、図８に示すとおり、中空スタンド２の上部に取り付けられた看板ベース２１上にモニター１９と検温器２０が取り付けられるようになっている。図示しないが、モニター１９にはデジタル表示される各種情報を記憶した記憶部と検温器２０で取得した情報をデジタル表示できるよう変換する処理部を備えている。それにより、利用方法や消毒液スタンドを設置した施設の広告など各種情報をはじめ、検温部２０で取得した結果をモニター１９でデジタル表示できるため、利用者の手の消毒・殺菌に止まらず、利用者の施設への入場の可否やその後の対応まで示唆し得るデジタルサイネージ機器として、広範に利用することができる。また、モニター１９の底部には赤外線などのセンサー２２が取り付けられており、利用者でない通行人などを誤って検知してモニター１９と検温器２０が無用に起動することのないよう、調整された適宜の角度で利用者の足元のみを照射するようになっている。
【産業上の利用可能性】
【００２７】
本考案に係る消毒液スタンドは、手の消毒・殺菌に加え、施設等への入場の可否を判断できるため、会社や学校をはじめ、空港や娯楽施設など、人の出入りが多いあらゆる場所に設置して利用することが可能である。
【符号の説明】
【００２８】
１    台座
２    中空スタンド
３    移動体
４    ペダル
５    押圧体
６    基台
７    ノズル
８    ホース
９    消毒液容器
１０    載置台
１１    側部支持体
１２    取付部
１３    トレイ支持体
１４    孔
１５    トレイ
１６    予備の消毒液容器
１７    留め具
１８    看板台
１９    モニター
２０    検温器
２１    看板ベース
２２    センサー
【図１】
0003232090.tif 000003
【図２】
0003232090.tif 000004
【図３】
0003232090.tif 000005
【図４】
0003232090.tif 000006
【図５】
0003232090.tif 000007
【図６】
0003232090.tif 000008
【図７】
0003232090.tif 000009
【図８】
0003232090.tif 000010
【手続補正書】
【提出日】令和3年3月12日(2021.3.12)
【手続補正１】
【補正対象書類名】図面
【補正対象項目名】図８
【補正方法】変更
【補正の内容】
【図８】
0003232090.tif 000011